(57)【特許請求の範囲】
【請求項１】
少なくとも部分的に可撓性の壁（１４）によって形成されているスリーブ状ボディ（１２）を備え、前記壁が、前記スリーブ状ボディ（１２）の第１端をなす第１端（１４ａａ）を有する第１端区分（１４ａ）と、前記第１端区分（１４ａ）から離れていて、前記スリーブ状ボディ（１２）の第２端をなし、前記第１端（１４ａａ）の実質的に向かい側に位置し、前記第１端（１４ａａ）から距離を置いて配置され、かつ刺激を感じる体の部分を前記スリーブ状ボディ（１２）に挿入するための開口部（４８）を含む第２端（１４ｂｂ）を有する第２端区分（１４ｂ）と、を具備する刺激装置において、
前記スリーブ状ボディ（１２）の外側に第１チャンバ（２８）が設けられており、前記第１チャンバの壁が、少なくとも部分的に前記スリーブ状ボディ（１２）の前記壁（１４）の前記第１端区分（１４ａ）によって形成される第１区分を有し、
印加装置（２６、３０、３２、３４）は、前記スリーブ状ボディ（１２）の前記壁（１４）の前記第１端区分（１４ａ）に引張力としての第１力を印加するために、前記第１チャンバ（２８）内に前記スリーブ状ボディ（１２）の前記第１端（１４ａａ）と前記第２端（１４ｂｂ）との間の距離を伸長するための負圧を生成し、
前記印加装置（２６、３０、３２、３４）は、さらに、前記スリーブ状ボディ（１２）の前記壁（１４）の前記第１端区分（１４ａ）に、前記引張力としての前記第１力と交互に圧縮力としての前記第１力を印加するために、前記第１チャンバ（２８）内に前記スリーブ状ボディ（１２）の前記第１端（１４ａａ）と前記第２端（１４ｂｂ）との間の前記距離を短縮するための正圧を生成し、前記正圧によって前記圧縮力としての前記第１力を印加するように形成されていることを特徴とする、刺激装置。
【請求項２】
前記スリーブ状ボディ（１２）は、その第１端（１４ａａ）とその第２端との間に長尺状の形状を有し、前記印加装置（２６、３０、３２、３４）は、前記第１力を前記スリーブ状ボディ（１２）の略長手方向に向けるように形成されている、請求項１に記載の装置。
【請求項３】
前記印加装置（２６、３０、３２、３４）は、前記スリーブ状ボディ（１２）の前記第１端と前記スリーブ状ボディ（１２）の前記第２端との間の前記距離を変化させる、時間的に変動する、特に振動する第１力を、前記スリーブ状ボディ（１２）の前記第１端と前記第２端との間の前記距離を相対して伸長するための引張力として、および前記スリーブ状ボディ（１２）の前記第１端と前記第２端との間の前記距離を相対して短縮するための圧縮力として交互に、前記スリーブ状ボディ（１２）の前記壁（１４）の前記第１端区分（１４ａ）に印加するように形成されていることを特徴とする、請求項１または２に記載の装置。
【請求項４】
前記第１チャンバ（２８）の前記壁は、少なくとも部分的に可撓性の第２区分（２６）を有し、
前記印加装置（２６、３０、３２、３４）は、前記第１チャンバ（２８）の前記壁の前記第２区分（２６）を第１位置と第２位置との間で往復運動させるように形成されている駆動装置（３０、３２、３４）を有することを特徴とする、請求項１〜３のいずれか１項に記載の装置。
【請求項５】
前記第１チャンバ（２８）の前記壁（１４）の前記第２区分（２６）は、前記壁の第１区分の向かい側に位置し、前記壁の第１区分から離して配置されていることを特徴とする、請求項４に記載の装置。
【請求項６】
請求項２に記載の装置であって、前記駆動装置（３０、３２、３４）は、前記第１チャンバ（２８）の前記壁（１４）の前記第２区分（２６）を前記スリーブ状ボディ（１２）の略長手方向に動かすように形成されていることを特徴とする、請求項４または５に記載の装置。
【請求項７】
前記第１チャンバ（２８）の前記壁の前記第２区分（２６）はメンブレンを有することを特徴とする、請求項４〜６のいずれか１項に記載の装置。
【請求項８】
壁（４ａ、６ａ）を有し、かつ前記スリーブ状ボディ（１２）と前記印加装置（２６、３０、３２、３４）とを収容するハウジング（４、６）を備える装置において、
前記スリーブ状ボディ（１２）の前記壁（１４）の第２端区分（１４ｂ）は、前記ハウジング（４、６）の前記壁（６ｂ）に取り付けられていることを特徴とする、請求項１〜７のいずれか１項に記載の装置。
【請求項９】
前記第１チャンバ（２８）は、周囲へ通じる閉鎖可能な開口部（４６）を有することを特徴とする、請求項１〜８のいずれか１項に記載の装置。
【請求項１０】
前記開口部（４６）は、前記第１チャンバ（２８）内が負圧の場合に閉じ、前記第１チャンバ（２８）内が正圧の場合に開く逆止弁を含むことを特徴とする、請求項９に記載の装置。
【請求項１１】
前記第１チャンバ（２８）の前記壁が第３区分（２４）を有し、前記スリーブ状ボディ（１２）の前記壁（１４）は、前記壁の第１端区分（１４ａ）の領域において、または前記領域の隣において、前記第１チャンバ（２８）の前記壁の前記第３区分（２４）に取り付けられていることを特徴とする、請求項１〜１０のいずれか１項に記載の装置。
【請求項１２】
請求項４に記載の装置であって、前記第１チャンバ（２８）の前記壁の前記第３区分（２４）は、前記第１チャンバの前記壁の前記第１区分（１４ａ）と前記第１チャンバの前記壁の第２区分（２６）との間に配置されていることを特徴とする、請求項１１に記載の装置。
【請求項１３】
前記スリーブ状ボディ（１２）の前記壁（１４）の外面には、前記スリーブ状ボディの前記壁の前記第１端区分（１４ａ）の領域において、または前記領域の隣において、外方へ突出するカラー（１６）が形成され、前記カラーは、前記第１チャンバ（２８）の前記壁の前記第３区分（２４）に取り付けられていることを特徴とする、請求項１１または１２に記載の装置。
【請求項１４】
前記スリーブ状ボディ（１２）と前記印加装置（２６、３０、３２、３４）とを収容し、かつ第１ハウジング部材（４）と前記第１ハウジング部材（４）に着脱可能に配置される第２ハウジング部材（６）とを有するハウジング（４、６）を備える装置において、
前記第１ハウジング部材（４）は、前記スリーブ状ボディ（１２）を前記スリーブ状ボディの前記壁（１４）の前記第２端区分（１４ｂ）により収容し、前記スリーブ状ボディ（１２）の前記壁（１４）の前記第１端区分（１４ａ）の領域において、または前記壁の前記第１端区分（１４ａ）の隣において前記第２ハウジング部材（６）に配置されていることを特徴とする、請求項１から１３のいずれか１項に記載の装置。
【請求項１５】
少なくとも部分的に可撓性の壁（１４）によって形成されているスリーブ状ボディ（１２）を備え、前記壁が、前記スリーブ状ボディ（１２）の第１端をなす第１端（１４ａａ）を有する第１端区分（１４ａ）と、前記第１端区分（１４ａ）から離れていて、前記スリーブ状ボディ（１２）の第２端をなし、前記第１端（１４ａａ）の実質的に向かい側に位置し、前記第１端（１４ａａ）から距離を置いて配置され、かつ刺激を感じる体の部分を前記スリーブ状ボディ（１２）に挿入するための開口部（４８）を含む第２端（１４ｂｂ）を有する第２端区分（１４ｂ）と、を具備する刺激装置において、
前記スリーブ状ボディ（１２）の前記第１端と前記スリーブ状ボディ（１２）の前記第２端との間の距離を変化させる、時間的に変動する、特に振動する第１力を、前記スリーブ状ボディ（１２）の前記第１端と前記第２端との間の前記距離を相対して伸長するための引張力として、および前記スリーブ状ボディ（１２）の前記第１端と前記第２端との間の前記距離を相対して短縮するための圧縮力として交互に、前記スリーブ状ボディ（１２）の前記壁（１４）の前記第１端区分（１４ａ）に印加するように形成されている印加装置（２６、３０、３２、３４）を特徴として、
前記スリーブ状ボディ（１２）の前記壁（１４）は、前記第１端区分（１４ａ）と前記第２端区分（１４ｂ）との間に設けられていて、前記スリーブ状ボディ（１２）の開口横断面を定義する距離を置いて互いに向かい合う位置にある壁区分を有する中間区分（１４ｃ）を具備する、装置において、
前記印加装置（２６、３０、３２、３４）は、さらに、前記スリーブ状ボディ（１２）の前記壁（１４）の前記中間区分（１４ｃ）に、前記スリーブ状ボディ（１２）の前記壁（１４）の前記中間区分（１４ｃ）の互いに向かい合う位置にある壁区分（１４ｃｃ）間の距離を変化させる、時間的に変動する、特に振動する第２力を、前記互いに向かい合う位置にある壁区分（１４ｃｃ）間の距離を相対して短縮するための圧縮力として、および前記互いに向かい合う位置にある壁区分（１４ｃｃ）間の前記距離を相対して伸長するための引張力として交互に印加するように形成されていることを特徴とする、刺激装置。
【請求項１６】
前記スリーブ状ボディ（１２）は、その第１端（１４ａａ）とその第２端との間に長尺状の形状を有し、前記印加装置（２６、３０、３２、３４）は、前記第１力を前記スリーブ状ボディ（１２）の略長手方向に向けるように形成されている、請求項１５に記載の装置。
【請求項１７】
前記印加装置（２６、３０、３２、３４）は、前記スリーブ状ボディ（１２）の前記壁（１４）の前記第１端区分（１４ａ）に引張力としての前記第１力を、かつ前記スリーブ状ボディ（１２）の前記壁（１４）の前記中間区分（１４ｃ）に圧縮力としての前記第２力を実質的に同時に、および／または前記スリーブ状ボディ（１２）の前記壁（１４）の前記第１端区分（１４ａ）に圧縮力としての前記第１力を、かつ前記スリーブ状ボディ（１２）の前記壁（１４）の前記中間区分（１４ｃ）に引張力としての前記第２力を実質的に同時に印加するように形成されていることを特徴とする、請求項１５または１６に記載の装置。
【請求項１８】
前記スリーブ状ボディ（１２）は、その第１端とその第２端との間に長尺状の形状を有し、
前記印加装置（２６、３０、３２、３４）は、前記第２力を前記スリーブ状ボディ（１２）の長手方向に対して略横向きに向けるように形成されていることを特徴とする、請求項１５〜１７のいずれか１項に記載の装置。
【請求項１９】
前記第１力と前記第２力との比率は、前記スリーブ状ボディ（１２）によって区画される中空空間（１２ａ）の体積が実質的にそのまま変わらないように量定されていることを特徴とする、請求項１５〜１８のいずれか１項に記載の装置。
【請求項２０】
前記スリーブ状ボディ（１２）の外側に第１チャンバ（２８）が設けられており、前記第１チャンバの壁が、少なくとも部分的に前記スリーブ状ボディ（１２）の前記壁（１４）の前記第１端区分（１４ａ）によって形成される第１区分を有し、
前記スリーブ状ボディ（１２）および前記第１チャンバ（２８）の外側に第２チャンバ（４２）が設けられており、前記第２チャンバの壁（１４）が、少なくとも部分的に前記スリーブ状ボディ（１２）の前記壁（１４）の前記中間区分（１４ｃ）によって形成される第１区分を有し、
前記印加装置（２６、３０、３２、３４）は、前記スリーブ状ボディ（１２）の前記壁（１４）の前記第１端区分（１４ａ）に引張力としての前記第１力を印加するために、前記第１チャンバ（２８）内に前記スリーブ状ボディ（１２）の前記第１端（１４ａａ）と前記第２端（１４ｂｂ）との間の前記距離を伸長するための負圧を生成し、前記スリーブ状ボディ（１２）の前記壁（１４）の前記第１端区分（１４ａ）に圧縮力としての第１力を印加するために前記第１チャンバ（２８）内に正圧を生成し、前記スリーブ状ボディ（１２）の前記壁（１４）の前記中間区分（１４ｃ）に圧縮力としての前記第２力を印加するために、前記第２チャンバ（４２）内に正圧を生成し、前記スリーブ状ボディ（１２）の前記壁（１４）の前記中間区分（１４ｃ）に引張力としての前記第２力を印加するために、前記第２チャンバ（４２）内に負圧を生成するように形成されていることを特徴とする、請求項１５〜１９のいずれか１項に記載の装置。
【請求項２１】
前記負圧と正常圧との差の値は、前記正圧と前記正常圧との差の値に略相当することを特徴とする、請求項２０に記載の装置。
【請求項２２】
前記第１チャンバ（２８）の前記壁（１４）は、少なくとも部分的に可撓性の第２区分（２６）を有し、
前記第２チャンバ（４２）の前記壁は、前記第１チャンバ（２８）の前記壁の前記第２区分（２６）によって形成される第２区分（２６）を有し、
前記印加装置（２６、３０、３２、３４）は、前記第１チャンバ（２８）の前記壁の前記第２区分（２６）を第１位置と第２位置との間で往復運動させるように形成されている駆動装置（３０、３２、３４）を有することを特徴とする、請求項２０または２１に記載の装置。
【請求項２３】
前記第１チャンバ（２８）の前記壁の前記第２区分（２６）は、前記壁の前記第１区分（１４ａ）の向かい側に位置し、かつ前記壁の前記第１区分（１４ａ）から離して配置されていることを特徴とする、請求項２２に記載の装置。
【請求項２４】
請求項１８に記載の装置であって、前記駆動装置（３０、３２、３４）は、前記第１チャンバ（２８）の前記壁（１４）の前記第２区分（２６）を前記スリーブ状ボディ（１２）の略長手方向に動かすように形成されていることを特徴とする、請求項２２または２３に記載の装置。
【請求項２５】
前記第１チャンバ（２８）の前記壁の前記第２区分（２６）はメンブレンを有することを特徴とする、請求項２２〜２４のいずれか１項に記載の装置。
【請求項２６】
壁（４ａ、６ａ）を有し、かつ前記スリーブ状ボディ（１２）と前記印加装置（２６、３０、３２、３４）とを収容するハウジング（４、６）を備える装置において、
前記第２チャンバ（４２）の前記壁は、前記壁の前記第１区分（１４ｃ）から離隔され、かつ前記ハウジング（４、６）の前記壁（４ａ）の一部によって形成される第３区分を有することを特徴とする、請求項２０〜２５のいずれか１項に記載の装置。
【請求項２７】
前記スリーブ状ボディ（１２）の前記壁（１４）の前記第２端区分（１４ｂ）は、前記ハウジング（４、６）の前記壁（４ａ）に取り付けられていることを特徴とする、請求項２６に記載の装置。
【請求項２８】
前記スリーブ状ボディ（１２）の前記壁（１４）の前記第２端区分（１４ｂ）は、前記ハウジング（４、６）の前記壁（４ａ、６ａ）に対する前記第２チャンバ（４２）のシール端を形成することを特徴とする請求項２７に記載の装置。
【請求項２９】
前記第１チャンバ（２８）は、周囲へ通じる閉鎖可能な開口部（４６）を有することを特徴とする、請求項２０〜２８のいずれか１項に記載の装置。
【請求項３０】
前記開口部（４６）は、前記第１チャンバ（２８）内が負圧の場合に閉じ、前記第１チャンバ（２８）内が正圧の場合に開く逆止弁を含むことを特徴とする、請求項２９に記載の装置。
【請求項３１】
前記第１チャンバ（２８）の前記壁が第３区分（２４）を有し、
前記スリーブ状ボディ（１２）の前記壁（１４）は、前記壁の前記第１端区分（１４ａ）と前記壁の前記中間区分（１４ｃ）との間の接続領域において前記第１チャンバ（２８）の前記壁の前記第３区分（２４）に取り付けられていることを特徴とする、請求項２０〜３０のいずれか１項に記載の装置。
【請求項３２】
請求項２２に記載の装置であって、前記第１チャンバ（２８）の前記壁の前記第３区分（２４）は、前記壁の前記第１区分（１４ａ）と前記壁の第２区分（２６）との間に配置されていることを特徴とする、請求項３１に記載の装置。
【請求項３３】
前記スリーブ状ボディ（１２）の前記壁（１４）の外面には、前記壁の前記第１端区分（１４ａ）と前記壁の前記中間区分（１４ｃ）との間の接続領域において外方へ突き出すカラー（１６）が形成され、前記カラーは、前記第１チャンバ（２８）の前記壁の前記第３区分（２４）に取り付けられていることを特徴とする、請求項３１または３２に記載の装置。
【請求項３４】
前記第２チャンバ（４２）の前記壁は、前記第１チャンバ（２８）の前記壁の前記第３区分（２４）によって形成される第４区分を有することを特徴とする、請求項３１〜３３のいずれか１項に記載の装置。
【請求項３５】
前記スリーブ状ボディ（１２）と前記印加装置（２６、３０、３２、３４）とを収容し、かつ第１ハウジング部材（４）と前記第１ハウジング部材（４）に着脱可能に配置された第２ハウジング部材（６）とを有するハウジング（４、６）を備える装置において、
前記第１ハウジング部材（４）は、前記スリーブ状ボディ（１２）を実質的に前記スリーブ状ボディの前記壁（１４）の前記中間区分（１４ｃ）と前記第２端区分（１４ｂ）とにより収容し、前記スリーブ状ボディ（１２）の前記壁（１４）の前記第１端区分（１４ａ）と前記中間区分（１４ｃ）との間の接続領域において、前記第２ハウジング部材（６）に配置されていることを特徴とする、請求項１５〜３４のいずれか１項に記載の装置。
【請求項３６】
請求項３１に記載の装置であって、前記第２ハウジング部材（６）は、第１チャンバ（２８）の前記壁の第３区分（２４）の領域において前記第１ハウジング部材（４）に配置されていることを特徴とする、請求項３５に記載の装置。
【請求項３７】
前記スリーブ状ボディ（１２）の前記壁（１４）の内面が、少なくとも部分的に、例えば突起などの構造要素（１４ｄ）を備えていることを特徴とする、請求項１から３６のいずれか１項に記載の装置。
【請求項３８】
前記印加装置（２６、３０、３２、３４）を制御し、かつ前記印加装置（２６、３０、３２、３４）のための少なくとも１つの所定の動作モードを設定するための少なくとも１つの操作手段（１０）を有する制御装置を特徴とする、請求項１から３７のいずれか１項に記載の装置。
【請求項３９】
前記装置は、殊に前記印加装置（２６、３０、３２、３４）にエネルギー供給するためのバッテリ（３６）で作動させる手持ち器具であることを特徴とする、請求項１から３８のいずれか１項に記載の装置。
【発明の詳細な説明】
【技術分野】
【０００１】
本発明は、少なくとも部分的に可撓性の壁によって形成されているスリーブ状ボディを備え、壁が、スリーブ状ボディの第１端をなす第１端を有する第１端区分と、第１端区分から離れていて、スリーブ状ボディの第２端をなし、第１端の実質的に向かい側に位置し、第１端から距離を置いて配置され、かつ刺激を感じる体の部分をスリーブ状ボディに挿入するための開口部を含む第２端を有する第２端区分と、を具備する刺激装置に関する。
【背景技術】
【０００２】
このような刺激装置は知られており、特にペニスを刺激するために使用される。このためにペニスを開口部からスリーブ状ボディに挿入することができる。殊に、スリーブ状ボディは、刺激を感じる体の部分と接触係合または摩擦係合する軟質の弾性材料からなる挿入物である。
【発明の概要】
【発明が解決しようとする課題】
【０００３】
本発明の課題は、より良い刺激を引き起こす効果を有する冒頭で述べた種類の刺激装置を提案することである。
【課題を解決するための手段】
【０００４】
上記課題は、少なくとも部分的に可撓性の壁によって形成されているスリーブ状ボディを備え、壁が、スリーブ状ボディの第１端をなす第１端を有する第１端区分と、第１端区分から離れていて、スリーブ状ボディの第２端をなし、第１端の実質的に向かい側に位置し、第１端から距離を置いて配置され、かつ刺激を感じる体の部分をスリーブ状ボディに挿入するための開口部を含む第２端を有する第２端区分と、を具備する刺激装置において、スリーブ状ボディの第１端とスリーブ状ボディの第２端との間の距離を変化させる、時間的に変動する、特に振動する第１力を、スリーブ状ボディの第１端と第２端との間の距離を相対して伸長するための引張力として、およびスリーブ状ボディの第１端と第２端との間の距離を相対して短縮するための圧縮力として交互に、スリーブ状ボディの壁の第１端区分に印加するように形成されている印加装置を特徴とする、刺激装置によって解決される。
【０００５】
本発明により設けられる印加装置を用いることで、従来技術と比べてより良いだけでなく、種類の異なる刺激効果も得ることができる。本発明によれば、このことは、スリーブ状ボディが、その壁の内側に位置する端区分である第１端区分、したがってスリーブ状ボディの内側に位置する第１端でスリーブ状ボディの長さ方向に拡張されたり短縮されたりすることにより達成される。その場合、その結果生じるスリーブ状ボディの壁の内側に位置する第１端区分の交互の長さ変化は、体の部分の隣接する区分に対するスリーブ状ボディの壁の第１区分の相対運動にもとづいてこの区分に刺激的な摩擦作用が生成されるか、またはスリーブ状ボディの壁の第１端区分が、その両方向の交互の運動中に体の部分の隣接する区分または少なくともその皮膚を動かして、同様に特別な刺激効果をもたらすことで、開口部からスリーブ状ボディに挿入された刺激を感じる体の部分のスリーブ状ボディの壁の第１端区分と係合している区分に対して特別な刺激作用を生成する。
【０００６】
本発明の好ましい実施形態および展開形態は従属請求項に記載されている。
【０００７】
特に、例えばペニスなどの長尺状の体の部分を刺激するために、スリーブ状ボディがその第１端とその第２端との間に長尺状の形状を有し、印加装置が第１力をスリーブ状ボディの略長手方向に向けるように形成されていることが適当である。
【０００８】
好ましい一実施形態は、スリーブ状ボディの外側にチャンバが設けられており、チャンバの壁が、少なくとも部分的にスリーブ状ボディの壁の第１端区分によって形成される第１区分を有し、印加装置は、スリーブ状ボディの壁の第１端区分に引張力としての第１力を印加するために、チャンバ内にスリーブ状ボディの第１端と第２端との間の距離を伸長するための負圧を生成し、かつスリーブ状ボディの壁の第１端区分に圧縮力としての第１力を印加するために、チャンバ内に正圧を生成するように形成されていることを特徴とする。この実施形態では、印加装置がいわゆる空気力学的に（ｐｎｅｕｍａｔｉｓｃｈ）作用し、それにより特に容易であると同時に効果的に実現することができる。
【０００９】
この実施形態の展開形態では、チャンバの壁が、少なくとも部分的に可撓性の第２区分を有し、印加装置は、チャンバの壁の第２区分を第１位置と第２位置との間で往復運動させ、それにより負圧と正圧を交互に生成するように形成されている駆動装置を有する。
【００１０】
一展開形態では、チャンバの壁の第２区分は、壁の第１区分の向かい側に位置し、壁の第１区分から離して配置されている。
【００１１】
さらに、駆動装置は、チャンバの壁の第２区分をスリーブ状ボディの略長手方向に動かすように形成されていてもよい。それにより、スリーブ状ボディの長さ変化をもたらす正圧と負圧を容易に特に効果的に生成することができる。チャンバの壁の第２区分がメンブレンを有し、メンブレンの往復運動が印加装置の駆動装置によって正圧と負圧の交互の生成をもたらすことが適当である。
【００１２】
殊に、壁を有し、かつスリーブ状ボディと印加装置とを収容するハウジングを装置が備え、スリーブ状ボディの壁の第２端区分がハウジングの壁に取り付けられている。
【００１３】
チャンバが周囲へ通じる閉鎖可能な開口部を有することが好ましい。この開口部は、必要な場合にユーザの指によって部分的に、または完全に閉鎖することができ、このようにしてチャンバ内の圧力が手動で制御される。開口部が完全に閉鎖されると、第１チャンバ内の圧力状態はそのまま変わらない。これに対して開口部が部分的に閉鎖もしくは開放されると、それにより周囲とわずかに圧力が均一化され、その結果、第１チャンバ内の圧力が相応に低くなる。その際、開口部は、チャンバ内が負圧の場合に閉じ、チャンバ内が正圧の場合に開く逆止弁を含んでもよい。それにより、正圧の場合にのみユーザの指による手動の制御が可能であり、負圧の場合には周囲との望ましくない圧力均一化が回避される。
【００１４】
好ましくは、チャンバの壁が第３区分を有し、スリーブ状ボディの壁は、壁の第１端区分の領域において、または領域の隣においてチャンバの壁の第３区分に取り付けられている。その際、チャンバの壁の第３区分は壁の第１区分と壁の第２区分との間に配置されていてもよい。スリーブ状ボディをハウジングに有利に取り付けるために、スリーブ状ボディの壁の外面には、スリーブ状ボディの壁の第１端区分の領域において、または領域の隣において、外方へ突出するカラーが形成され、カラーはチャンバの壁の第３区分に取り付けられていることが好ましい。
【００１５】
別の好ましい一実施形態では、装置は、スリーブ状ボディと印加装置とを収容し、かつ第１ハウジング部材と第１ハウジング部材に着脱可能に配置される第２ハウジング部材とを有するハウジングを備え、第１ハウジング部材は、スリーブ状ボディをスリーブ状ボディの壁の第２端区分により収容し、スリーブ状ボディの壁の第１端区分の領域において、または壁の第１端区分の隣において第２ハウジング部材に配置されている。ハウジングのそのような２部材構成の形態は、ハウジングおよびスリーブ状ボディの内部空間の比較的簡単なクリーニングとスリーブ状ボディの簡単な交換とを可能にする一方で、例えば印加装置の修理または交換、あるいは電圧を供給するバッテリの入替えの目的での印加装置への簡単なアクセスを可能にする。
【００１６】
スリーブボディの壁が、第１端区分と第２端区分との間に設けられていて、スリーブ状ボディの開口横断面を定義する距離を置いて互いに向かい合う位置にある壁区分を有する中間区分を具備するという代替実施形態は、印加装置が、さらに、スリーブ状ボディの壁の中間区分に、スリーブ状ボディの壁の中間区分の互いに向かい合う位置にある壁区分間の距離を変化させる、時間的に変動する、特に振動する第２力を、互いに向かい合う位置にある壁区分間の距離を相対して短縮するための圧縮力として、および互いに向かい合う位置にある壁区分間の距離を相対して伸長するための引張力として交互に印加するように形成されていることを特徴とする。
この代替実施形態により、スリーブ状ボディの長さを変化させ、その際に一時的に拡張させるために印加装置がスリーブ状ボディの壁の内側に位置する第１端区分、したがってスリーブ状ボディの内側に位置する第１端に引張力と圧縮力を交互に印加するだけでなく、それに加えて、スリーブ状ボディをその横断面において変化させ、その際一時的にスリーブ状ボディに狭窄を形成するために、スリーブ状ボディに対してその第１端とその第２端との間のポイントで、スリーブ状ボディの長手方向に対して横向きに作用する引張力と圧縮力とを交互に印加することで、刺激効果をさらに強化することができる。
【００１７】
この実施形態の一展開形態は、印加装置が、スリーブ状ボディの壁の第１端区分に引張力としての第１力を、かつスリーブ状ボディの壁の中間区分に圧縮力としての第２力を実質的に同時に、および／またはスリーブ状ボディの壁の第１端区分に圧縮力としての第１力を、かつスリーブ状ボディの壁の中間区分に引張力としての第２力を実質的に同時に印加するように形成されていることを特徴とする。したがって、この展開形態では、印加装置は、スリーブ状ボディの長手方向の拡張と同時にスリーブ状ボディの横断面の狭窄と、スリーブ状ボディの特にその初期長さへの短縮と同時にその初期横断面への戻しとを交互にもたらす。
【００１８】
スリーブ状ボディは、その第１端とその第２端との間に、特に例えばペニスなどの長尺状の体の部分の刺激のために長尺状の形状を有し、かつ印加装置は、第２力をスリーブ状ボディの長手方向に対して略横向きに向けるように形成されていることが好ましい。
【００１９】
第１力と第２力との比率は、スリーブ状ボディによって区画される中空空間の体積が実質的にそのまま変わらないように量定されていなければならない。
【００２０】
上述した代替実施形態の別の好ましい一展開形態は、スリーブ状ボディの外側に第１チャンバが設けられており、第１チャンバの壁が、少なくとも部分的にスリーブ状ボディの壁の第１端区分によって形成される第１区分を有し、
スリーブ状のボディおよび第１チャンバの外側に第２チャンバが設けられており、第２チャンバの壁が、少なくとも部分的にスリーブ状ボディの壁の中間区分によって形成される第１区分を有し、
印加装置は、スリーブ状ボディの壁の第１端区分に引張力としての第１力を印加するために、第１チャンバ内にスリーブ状ボディの第１端と第２端との間の距離を伸長するための負圧を生成し、スリーブ状ボディの壁の第１端区分に圧縮力としての第１力を印加するために第１チャンバ内に正圧を生成し、スリーブ状ボディの壁の中間区分に圧縮力としての第２力を印加するために、第２チャンバ内に正圧を生成し、スリーブ状ボディの壁の中間区分に引張力としての第２力を印加するために、第２チャンバ内に負圧を生成するように形成されていることを特徴とする。
したがって、この展開形態では、スリーブ状ボディの長手方向の拡張時に生じる正圧が実質的に同時に意図されたスリーブ状ボディの狭窄のために巧みに利用される。その際、便宜上、負圧と正常圧との差の値が正圧と正常圧との差の値に略相当すべきである。
【００２１】
別の好ましい一展開形態では、第１チャンバの壁は、少なくとも部分的に可撓性の第２区分を有し、第２チャンバの壁は、第１チャンバの壁の第２区分によって形成される第２区分を有し、印加装置は、第１チャンバの壁の第２区分を第１位置と第２位置との間で往復運動させるように形成されている駆動装置を有する。その場合、好ましくは、第１チャンバの壁の第２区分が壁の第１区分の向かい側に位置し、かつ壁の第１区分から離して配置されるべきである。
【００２２】
殊に、駆動装置は、第１チャンバの壁の第２区分をスリーブ状ボディの略長手方向に動かすように形成されているべきである。それにより、スリーブ状ボディの長さ変化をもたらす正圧と負圧を容易に特に効果的に生成することができる。第１チャンバの壁の第２区分がメンブレンを有することが適当である。
【００２３】
さらに代替実施形態では、壁を有し、かつスリーブ状ボディと印加装置とを収容するハウジングを装置が備えてもよく、第２チャンバの壁は、壁の第１区分から離隔され、かつハウジングの壁の一部によって形成される第３区分を有する。
【００２４】
スリーブ状ボディをハウジングに特に効果的に取り付けるために、スリーブ状ボディの壁の第２端区分がハウジングの壁に取り付けられていてもよい。その際、同時に、周囲との望ましくない圧力均一化を阻止するために、スリーブ状ボディの壁の第２端区分は、ハウジングの壁に対する第２チャンバのシール端を形成しなければならない。
【００２５】
さらに代替実施形態では、好ましくは、第１チャンバは、周囲へ通じる閉鎖可能な開口部を有してもよく、開口部は、第１チャンバ内の圧力状態を手動で制御するために、ユーザの指で部分的または完全に閉じることができることが適当である。開口部が完全に閉鎖されると、第１チャンバ内の圧力状態はそのまま変わらない。これに対して開口部が部分的に閉鎖もしくは開放されると、それにより周囲とわずかに圧力が均一化され、その結果、第１チャンバ内の圧力が相応に低くなる。好ましくは、開口部は、第１チャンバ内が負圧の場合に閉じ、第１チャンバ内が正圧の場合に開く逆止弁を含み、それにより第１チャンバ内が負圧の場合に周囲との望ましくない圧力均一化が阻止され、第１チャンバ内が正圧の場合にのみユーザの指で開口部を部分的または完全に閉鎖することによる第１チャンバ内の圧力状態の手動制御が可能である。
【００２６】
代替実施形態の一展開形態では、第１チャンバの壁が第３区分を有し、スリーブ状ボディの壁は、壁の第１端区分と壁の中間区分との間の接続領域において、第１チャンバの壁の第３区分に取り付けられている。
【００２７】
別の好ましい一展開形態では、第１チャンバの壁の第３区分は、壁の第１区分と壁の第２区分との間に配置されている。
【００２８】
スリーブ状ボディをさらに有利に取り付けるために、スリーブ状ボディの壁の外面には、壁の第１端区分と壁の中間区分との間の接続領域において、外方へ突き出すカラーが形成され、カラーは第１チャンバの壁の第３区分に取り付けられていることが好ましい。
【００２９】
さらに、第２チャンバの壁が第１チャンバの壁の第３区分によって形成される第４区分を有してもよい。
【００３０】
さらに、代替実施形態では、装置は、殊にスリーブ状ボディと印加装置とを収容し、かつ第１ハウジング部材と第１ハウジング部材に着脱可能に配置された第２ハウジング部材とを有するハウジングを備え、第１ハウジング部材は、スリーブ状ボディを実質的にスリーブ状ボディの壁の中間区分と第２端区分とにより収容し、スリーブ状ボディの壁の第１端区分と中間区分との間の接続領域において、第２ハウジング部材に配置されている。
ハウジングのそのような２部材構成の形態は、ハウジングおよびスリーブ状ボディの内部空間の比較的簡単なクリーニングとスリーブ状ボディの簡単な交換とを可能にする一方で、例えば印加装置の修理または交換、あるいは電圧を供給するバッテリの入替えの目的での印加装置への簡単なアクセスを可能にする。その場合、第２ハウジング部材が第１チャンバの壁の第３区分の領域において、第１ハウジング部材に配置されていてもよい。
【００３１】
刺激効果をさらに強化するために、好ましくは、スリーブ状ボディの壁の内面が、少なくとも部分的に、例えば突起などの構造要素を備えていてもよい。
【００３２】
さらに、刺激作用を制御するために、好ましくは、印加装置を制御し、かつ印加装置のための少なくとも１つの所定の動作モードを設定するための少なくとも１つの操作手段を有する制御装置が設けられていてもよく、操作手段が少なくとも１つのスイッチまたは押しボタンスイッチを有することが適当である。
【００３３】
さらには、装置は、好ましくは印加装置にエネルギー供給するための殊にバッテリで作動させる手持ち器具として形成されていてもよい。
【００３４】
以下、本発明の好ましい実施例を添付の図面をもとにして詳しく説明する。
【図面の簡単な説明】
【００３５】
【図１】図１は、刺激装置の第１の好ましい実施形態の斜視図である。
【図２】図２は、図１の装置の縦断面図である。
【図３】図３は、図２と同じ縦断面であるが、ハウジング部材が互いに切り離されている図である。
【図４】図４は、図２と同じ縦断面図であるが、図示されない第１端位置とメンブレンが実線で示される第２端位置との間の中間位置にあるメンブレンを付加的に破線で示した図である。
【図５】図５は、図２と同じ縦断面図であるが、第１端位置にあるメンブレンを示すとともに、第２端位置にあるメンブレンを付加的に破線で示した図である。
【図６】図６は、圧力状態を手動で制御するために開口部を閉鎖するユーザの指が付加的に示される図２および図４と同じ縦断面図である。
【図７】図７は、刺激装置の第２の好ましい実施形態の縦断面図である。
【図８】図８は、刺激装置の第３の好ましい実施形態の斜視図である。
【図９】図９は、図８の装置の縦断面図である。
【図１０】図１０は、図９と同じ縦断面図であるが、ハウジング部材が互いに切り離されている図である。
【図１１】図１１は、図９と同じ縦断面図であるが、図示されない第１端位置と、メンブレンが実線で示される第２端位置との間の中間位置にあるメンブレンを付加的に破線で示した図である。
【図１２】図１２は、図９と同じ縦断面図であるが、第１端位置にあるメンブレンを示すとともに、第２端位置にあるメンブレンを付加的に破線で示した図である。
【図１３】図１３は、圧力状態を手動で制御するために開口部を閉鎖するユーザの指を付加的に示した図９および図１１と同じ縦断面図である。
【発明を実施するための形態】
【００３６】
図１〜図６に本発明の第１の好ましい実施形態による刺激装置２が示されている。図示された実施例では、刺激装置２は、取り囲む壁４ａと自由端４ｂとによって区画された第１ハウジング部材４と、取り囲む壁６ａと自由端６ｂとによって区画される第２ハウジング部材６とに分割されるハウジングを有している。第１ハウジング部材４の自由端４ｂには、例えばペニスなどの刺激を感じる体の部分を挿入するための開口部８が設けられている。図１でさらに示すように、第２ハウジング部材６の取り囲む壁６ａの領域には、好ましくは電気的押しボタンスイッチとして形成され、オンおよびオフのため、および図示されない電子制御回路を使って刺激装置を制御するために用いられる操作ボタン１０が配置されている。
【００３７】
図２〜図６で詳しく示すように、図示された実施例では第１ハウジング部材４の内部にスリーブ状ボディ１２が配置され、スリーブ状ボディ１２の内部空間もしくは中空空間１２ａは、第１端区分１４ａと第２端区分１４ｂとこれらの２つの端区分１４ａ、１４ｂ間にある中央区分１４ｃとに分割される壁１４によって区画されている。図示された実施例では、壁１４の第１端区分１４ａは、閉じたドームまたは閉じたキャップの形状を有し、同時にスリーブ状ボディ１２の第１端でもある第１端１４ａａを形成する。ここから離れた壁１４の第２端区分１４ｂは第２端１４ｂｂを有し、第２端は、同時にスリーブ状ボディ１２の外側に位置する第２端でもあり、かつスリーブ状ボディ１２の中空空間１２ａに刺激を感じる体の部分を挿入するための上述した開口部８を備えている。第１ハウジング部材４の自由端４ｂおよび開口部８に対して、スリーブ状ボディ１２の壁１４の第１端区分１４ａもしくは第１端１４ａａを、代替的に、遠位のまたは内側に位置する第１端区分１４ａ、あるいは遠位のまたは内側に位置する第１端１４ａａとも呼ぶことができ、スリーブ状ボディ１２の壁１４の第２端区分１４ｂもしくは第２端１４ｂｂを、代替的に、近位のまたは部分的に外側に位置する第２端区分１４ｂ、あるいは近位のまたは外側に位置する第２端１４ｂｂとも呼ぶことができる。図２〜図６で示すように、スリーブ状ボディ１２は、その両端間に、図示される実施例では特に壁１４の中央区分１４ｃの領域において円筒状である長尺状の形状を有している。図示される実施例では、さらに、スリーブ状ボディ１２の壁１４の内面には第１端区分１４ａと中央区分１４ｃとの間の接続領域において内方へ突出して狭窄を形成する突出部１４ｄが配置されており、この突出部１４ｄは、選択的に取り囲んで形成されてもよいし、周方向に突起を形成するべく中断部を備えていてもよい。スリーブ状ボディ１２の壁１４は、少なくとも部分的に可撓性の、殊に弾性の、例えばシリコーンを有する材料からなり、これは特に軟質の材料というだけでなく、衛生的な材料でもある。
【００３８】
図２〜図６でさらに示すように、図示された実施例では、第１ハウジング部材４の自由端４ｂが内側へ折り曲げられたフランジ状の縁を形成し、縁は、スリーブ状ボディ１２の隣接する区分を取り付けるためにスリーブ状ボディ１２の壁１４の第２端区分１４ｂに係合する。
【００３９】
同様に、図２〜図６でさらに示すように、スリーブ状ボディ１２の壁１４がその第１端区分１４ａとその中央区分１４ｃとの間の接続領域において外面に、外方へ突出するカラー１６を備えている。カラー１６の隣で向かい側に、第１ハウジング部材４の壁４ａの内面に内方へ突出する取付突出部１８が形成され、取付突出部は、開口部２２を介して第１ハウジング部材４の内部空間と連絡する切欠部２０を含む。特に図２で示すように、スリーブ状ボディ１２の壁１４の外面に設けられたカラー１６は、開口部２２を通って切欠部２０内に突出し、図示された実施例では下へ折り曲げられた端１６ａで切欠部２０の内壁区分に後方から係合する。カラー１６がスリーブ状ボディ１２を取り囲むカラーとして、そしてそれに応じて切欠部２０を有する取付突出部１８も第１ハウジング部材４の内壁において取り囲んで形成されていることが好ましい。しかしこれに代えて、カラー１６を互いに離隔した、かつ別々の構成要素に、したがって取付突出部１８または少なくとも切欠部２０に相応に分割することも考えられる。
【００４０】
図２〜図６でさらに示すように、スリーブ状ボディ１２の外側でスリーブ状ボディ１２の壁１４の第１端区分１４ａから距離を置いて隣接する、取り囲む壁区分２４が設けられ、壁区分２４は、第２ハウジング部材６の壁６ａの内側に配置されており、取り囲む自由端が第２ハウジング部材６の内部で終端し、自由端はメンブレン２６によって密封されており、したがってメンブレンは、同様にスリーブ状ボディ１２の外側に配置され、その際、図示された実施例ではスリーブ状ボディ１２の壁１４の第１端１４ａａから離隔させてある。したがって、スリーブ状ボディ１２の壁１４の第１端区分１４ａと壁区分２４とメンブレン２６とが第１チャンバ２８を区画する。
【００４１】
特に図３とともに図２で示すように、スリーブ状ボディ１２の壁１４の外面に成形されたカラー１６の折り曲げられた端１６ａを収容する切欠部２０は、第２ハウジング部材６の方を指す側で壁区分２４の一部によって区画される。壁区分２４が第２ハウジング部材６に設けられているので、この配置の結果、第２ハウジング部材６を第１ハウジング部材４から分離したときに（図３を参照）、切欠部２０が開かれ、それによりスリーブ状ボディ１２の組付けまたは取外しのために、開かれた切欠部２０にカラー１６の折り曲げられた端１６ａでカラーを簡単に挿入すること、または切欠部２０から取り出すことができる。
【００４２】
図２〜図６でさらに示すように、第２ハウジング部材６には電気モータ３０が配置されており、電気モータの出力軸３０ａには径方向に延在するレバー３２が相対回動不能に取り付けられている。レバー３２には、その自由端の隣に連接棒３４が第１端３４ａにより関節式に支持されている。連接棒３４は、その他端３４ｂによりメンブレン２６に取り付けられている。したがって、レバー３２と連接棒３４とは共同で、電気モータ３０の出力軸３０ａの回転を連接棒３４の長手方向の往復運動に変換するための偏心伝動装置を形成する。電気モータ３０の電力供給のためにアキュムレータまたはバッテリ３６が設けられ、これらは同様に第２ハウジング部材６内で仕切り壁４０によって区画されるそれ用の室３８に設けられる。
【００４３】
さらに、第２ハウジング部材６内には、第１チャンバ２８に対して壁区分２４およびメンブレン２６の外側に、第２ハウジング部材６の壁６ａと壁区分２４とメンブレン２６と仕切り壁４０とによって区画される第２チャンバ４２が形成されている。
【００４４】
メンブレン２６が特にシリコーンなどの可撓性の材料からなるので、図４および図５に模式的に示されるように、連接棒３４の長手方向の往復運動は図４〜図６に示される両頭矢印Ａの方向にメンブレン２６の相応の運動をもたらす。換言すると、連接棒３４は、その往復長手方向運動中にメンブレン２６を相応に移動させる。メンブレン２６は、その外端部により壁区分２４に取り付けられているので、連接棒３４の往復運動がメンブレン２６の形状変化をもたらし、その際、メンブレン２６の動作距離は、連接棒３４がメンブレンに隣接する端３４ｂにより取り付けられている中央で最大であり、かつ連接棒３４の動作距離に相当する。連接棒３４の往復長手方向運動はスリーブ状ボディ１２の略長手方向に向けられ、それにより連接棒３４の運動によって、換言すると、連接棒がスリーブ状ボディ１２の壁１４の第１端１４ａａの方向と、この第１端から離れる方向とに交互に動かされることで、スリーブ状ボディ１２の壁１４の隣接する第１端１４ａａからのメンブレン２６の距離が変更される。
【００４５】
図５には、スリーブ状ボディ１２の最も近くに位置する第１端位置にあるときのメンブレン２６が実線で示されている。その際、図５は、（図５では下の）第１端位置において、メンブレン２６がスリーブ状ボディ１２の方向に撓んだ形状をとることを示す。メンブレン２６がその第１端位置にあるとき、同時に、向かい側にあるスリーブ状ボディ１２の壁１４の第１端区分１４ａが同様にスリーブ状ボディ１２の壁１４の第１端１４ａａとメンブレン２６との距離が最小である所定の第１端位置をとる。図５には、（図５では下の）第１端位置にあるときのスリーブ状ボディ１２の壁１４の第１端区分１４ａも実線で示されている。さらに、図５には、スリーブ状ボディ１２から離れた（図５では上の）第２端位置にあるときのメンブレン２６が破線で示され、この第２端位置において、メンブレン２６は、第１端位置に対して逆のカーブで上に撓んだ形状をとる。メンブレン２６がその第２端位置にあるとき、スリーブ状ボディ１２の壁１４の第１端区分１４ａは同様にそれに適合した（図５では上の）所定の、図５に同様に破線で示される第２端位置をとる。したがって、図５は、壁１４の第１端区分１４ａが第２端位置にあるときのスリーブ状ボディ１２は、第１端区分が第１端位置にあるときと比べて長手方向に拡張され、したがって伸長されていることを示す。単に明確性のために、これに関連してさらに述べておきたいのは、図２〜図４および図６において、メンブレン２６はそれぞれその第２端位置にあるが、これに対してスリーブ状ボディ１２の壁１４の第１端区分１４ａはその第１端位置で示されているということである。その際、図４および図６は、メンブレン２６を付加的に破線で示された上述の２つの端位置間の中間位置で示す。
【００４６】
メンブレン２６の（図５では下の）第１端位置から（図５では上の）第２端位置への動きは、スリーブ状ボディ１２の壁１４の第１端区分１４ａの（図５では下の）第１端位置から（図５では上の）第２端位置への動きをもたらし、それにより連接棒３４の往復運動にもとづくメンブレン２６の運動が、スリーブ状ボディ１２の壁１４の第１端区分１４ａの運動に対して直接影響を及ぼす。その原因となるのは、一方の側における、スリーブ状ボディ１２の壁１４の第１端区分１４ａと他方の側におけるメンブレン２６との間に形成され空気で満たされた第１チャンバ２８である。第１チャンバ内の空気の役割は、メンブレン２６が運動した場合にスリーブ状ボディ１２の壁１４の第１端区分１４ａが相応に移動されるようにすることである。メンブレン２６が（図５では下の）第１端位置から（図５では上の）第２端位置へ動いた場合、まず第１チャンバ２８の体積が拡大し、それによりそこにまず負圧が生じ、この負圧にもとづいてスリーブ状ボディ１２の壁１４の第１端区分１４ａに相応の引張力が印加される。次いで、この引張力が、第１チャンバ２８内の負圧が解除されて再び正常空気圧になるまで、スリーブ状ボディ１２の壁１４の第１端区分１４ａの図５に破線で示された（図５では上の）第２端位置への動きをもたらす。したがってメンブレン２６によって、その第１端位置から第２端位置への運動中に、第１チャンバ２８内で支配的なエアクッションによる吸引作用のように、スリーブ状ボディ１２の壁１４の第１端区分１４ａが相応に移動され、そのことによりスリーブ状ボディ１２のその長手延在方向の拡張、したがってその長さの拡大がもたらされる。メンブレン２６が（図５では上の）第２端位置から（図５では下の）第１端位置へ逆に動いた場合、第１チャンバ２８内にまず正圧が生じ、この正圧は、この時点ではまだ拡張されているスリーブ状ボディ１２の壁１４の第１端１４ａａに圧縮力を加え、次にこの圧縮力が、スリーブ状ボディ１２の壁１４の第１端区分１４ａが（図５では下の）図５において実線で示された第１端位置へ戻ることをもたらす。
【００４７】
連接棒３４の往復運動によってもたらされるスリーブ状ボディ１２の壁１４の第１端区分１４ａの交互の長さ変化は、スリーブ状ボディ１２の壁１４の第１端区分１４ａが上述の体の部分の隣接する区分に対して相対運動することにもとづいて、この体の部分に対する刺激的な摩擦作用が生成されるか、またはスリーブ状ボディ１２の壁１４の第１端区分１４ａが両方向に交互に運動する間にこの第１端区分が上述の隣接する区分または少なくともその皮膚を移動させ、そのことが同様に特別な刺激効果をもたらすことで、スリーブ状ボディ１２の壁１４の第１端区分１４ａと係合している、開口部８からスリーブ状ボディ１２に挿入された図示されない刺激を感じる体の部分に対する特別な刺激作用を生成する。
【００４８】
メンブレン２６の動きの一種の当たり受け（Ｗｉｄｅｒｌａｇｅｒ）をなし、したがってメンブレン２６の動きを妨げるか、または完全に阻止するような望ましくないエアクッションが第２チャンバ４２内に形成されないようにするために、第２ハウジング部材６の壁６ａには第２チャンバ４２と周囲との間の圧力の常時の圧力均一化をもたらす換気穴４４が設けられている。それにより、メンブレン２６の妨害されない動きが保証される。
【００４９】
特に図６で示すように、開口部４６が設けられており、この開口部により第１チャンバ２８が外へ通じていてもよい。この開口部４６は、図示されないユーザの指４８によって、必要な場合に部分的に、または完全に閉鎖することができ、そのようにして第１チャンバ２８内の圧力を手動で制御されることが適当である。開口部４６が完全に閉鎖されると、第１チャンバ２８内の圧力状態がそのまま変わらなくなる。これに対して開口部４６が部分的に閉鎖もしくは開放されると、それによって周囲とのわずかな圧力均一化がもたらされ、その結果、第１チャンバ２８内の圧力が相応に低くなる。その場合、開口部４６は、第１チャンバ２８内が負圧の場合に閉じ、第１チャンバ２８内が正圧の場合に開く図示されない逆止弁を含んでいるべきであり、それにより第１チャンバ２８内が負圧の場合に周囲との望ましくない圧力均一化が回避され、第１チャンバ２８内が正圧の場合にのみユーザの指４８による開口部４６の部分的または完全な閉鎖による第１チャンバ２８内の圧力状態の手動での制御が可能になる。
【００５０】
図７に第２の好ましい実施形態による刺激装置２’が示され、第１の好ましい実施形態による刺激装置２と同じ構成要素に同じ参照符号が付されており、それにより、これについては繰り返しを避けるために、図１〜図６をもとにして行った説明を参照されたい。
【００５１】
第２の好ましい実施形態による刺激装置２’は、第１の好ましい実施形態による刺激装置２と同じ動作原理を使用する。第１の好ましい実施形態による刺激装置２との違いは、第２の好ましい実施形態による刺激装置２’では第１ハウジング部材４がなく、第２ハウジング部材６が唯一のハウジングとして設けられており、それによって（図７では上の）自由端６ｂに加えて、この自由端６ｂから離れたところにあるまた別の（図７では下の）自由端６ｃを有し、この別の自由端にスリーブ状ボディ１２の壁１４のカラー１６が取り付けられている。第２チャンバ４２は、ハウジング部材６の（図７では下の）自由端６ｃにおいて、図７の参照符号「４２ａ」が付された箇所で周囲に向かって開いているので、さらに、第１の好ましい実施形態による刺激装置２で設けられる換気穴４４を省略することができる。さらに、図１〜図６と比較して図７でさらに示すように、第１の好ましい実施形態による刺激装置２の第２ハウジング部材６を唯一のハウジングとして使用する結果として、スリーブ状ボディ１２がはるかに短い長さを有し、したがってはるかに短縮される。したがって、スリーブ状ボディ１２の壁１４の第２端区分１４ｂは、カラー１６に直接隣接し、かつ第１の好ましい実施形態による刺激装置２と比べてはるかに短く形成されている。したがって、好ましい第２実施形態による刺激装置２’は、第１の好ましい実施形態による刺激装置２と比べて構造が簡易化されるとともにその形態に関してよりコンパクトな型である。
【００５２】
図８〜図１３に第３の好ましい実施形態による刺激装置２’’が示されており、図８〜図１３は、その図示に関して図１〜図６に相当し、第１の好ましい実施形態による刺激装置２と同じ構成要素に同じ参照符号が付されており、それによりこれについては繰り返しを避けるために、図１〜図６をもとにして先に行った第１の好ましい実施形態による刺激装置２の説明を参照されたい。
【００５３】
一目見ただけでは、第３の好ましい実施形態による刺激装置２’’は第１の好ましい実施形態による刺激装置２と同じであるように見える。しかし、動作方式に本質的な違いがあり、この動作方式は設計上の違いにも表れている。
【００５４】
確かに第３の好ましい実施形態による刺激装置２’’でもスリーブ状ボディ１２の振動する長さ変化は、スリーブ状ボディ１２の長手方向に向けられたメンブレン２６の往復運動にもとづいて行われるので、これについては図１〜図６をもとにして先に行われた第１の好ましい実施形態による刺激装置２の説明を参照されたい。しかし、第１の好ましい実施形態による刺激装置２とは異なり、第２チャンバ４２が周囲に対して閉じられ、それゆえ換気穴４４もなく、それによりそこではメンブレン２６の往復運動にもとづいて同様に振動する圧力状態になるが、第１チャンバ２８において生じる振動する圧力状態とは逆もしくは反対になる。メンブレン２６が（図１２では下の）図１２に実線で示される第１端位置から（図９〜図１３では上の）図９〜図１１および図１３に実線で、かつ図１２において破線で示された第２端位置へ動くと、第２チャンバ４２内にまず正圧が生じ、次いでこの正圧が外側からスリーブ状ボディ１２の壁１４の中央区分１４ｃに印加され、その壁区分１４ｃｃが破線で模式的に示されている図１２で示すように、このことがスリーブ状ボディ１２の壁１４の中央区分１４ｃの互いに向かい合う壁区分１４ｃｃ間の距離の短縮をもたらす。第２チャンバ４２は、メンブレン２６と仕切り壁４０との間の空間だけでなく、付加的に、一方の側の第１ハウジング部材４の壁４ａと、壁区分２４とによって、ならびに他方の側のスリーブ状ボディ１２の壁１４の中央区分１４ｃおよび第２端区分１４ｂとによって区画される空間によっても形成される。したがって、第２チャンバ４２は、付加的にスリーブ状ボディ１２の外面に沿って、自由端４ｂの領域において第１ハウジング部材４の壁４ａにシールして取り付けられているスリーブ状ボディの壁１４の第２端区分１４ｂまで延在する。メンブレン２６が第１端位置からその第２端位置へ動くことによって、第２チャンバ４２内にまず正圧が生じる結果として、第２チャンバ４２内の空気が図１１〜図１３に示された矢印Ｂの方向に追い出され、次いでスリーブ状ボディ１２の壁１４の中央区分１４ｃの外面に当たる。次いで、そこで空気が圧縮力を生成し、この圧縮力は、スリーブ状ボディ１２の壁１４の中央区分１４ｃに外側から横向きに図１１〜図１３に示された矢印Ｃの方向に作用する。この圧縮力は、スリーブ状ボディ１２の壁１４の中央区分１４ｃの領域において互いに向かい合う壁区分１４ｃｃ間の距離の上述の縮小をもたらし、それによりこの領域に、図１２に破線で模式的に示されるようにスリーブ状ボディ１２の中空空間１２ａの狭窄をもたらす。その後、メンブレン２６が（図１２では下の）第１端位置から（図１２では上の）第２端位置へ動く結果として、スリーブ状ボディ１２の拡張だけでなく、同時に狭窄も伴う。
【００５５】
メンブレン２６が（図１２では上の）第２端位置から（図１２では下の）端位置へ反対に動くと、第２チャンバ４２内にまず負圧が生じ、この負圧は、図１１〜図１３に示された矢印Ｂおよび矢印Ｃの向きとは逆に、したがってスリーブ状ボディ１２の壁１４の中央区分１４ｃから離れる方向に逆の空気流をもたらす。それにより、スリーブ状ボディ１２の壁１４の中央区分１４ｃの互いに向かい合う壁区分１４ｃｃに引張力が印加され、この引張力は、壁区分１４ｃｃの互いの距離を拡大して、これらの壁区分１４ｃｃを図９〜図１３に実線で示された実質的にまっすぐな初期位置へ戻し、スリーブ状ボディ１２の中空空間１２ａの狭窄が解消されることをもたらす。したがって、このステップでは、長さの短縮に加えて、それと同時に、壁区分１４ｃｃの互いの距離を拡大し、その結果として狭窄を解消してスリーブ状ボディ１２の壁１４の中央区分１４ｃをその元の、実質的にまっすぐな初期位置へ戻すことも行われる。
【００５６】
したがって、図９〜図１３に示された第３の好ましい実施形態による刺激装置２’’を用いて、スリーブ状ボディ１２の長さを変化させ、その際一時的に拡張するために、スリーブ状ボディ１２の壁１４の第１端区分１４ａ、したがってスリーブ状ボディ１２の第１端に、スリーブ状ボディ１２の長手方向に引張力と圧縮力を交互に印加するだけでなく、付加的に、さらにスリーブ状ボディ１２の横断面を変化させ、その際、一時的に狭窄を生成するために、スリーブ状ボディ１２をその壁１４の中央区分１４ｃの領域においてスリーブ状ボディの長手方向に対して横向きに作用する引張力および圧縮力を交互に印加することで、刺激効果をさらに強化することができる。こうしたことから第３の好ましい実施形態による刺激装置２’’では、スリーブ状ボディ１２を一時的に狭窄することによるさらなる刺激効果のために、第１チャンバ２８の外側でメンブレン２６によって第２チャンバ４２内に生成された正圧もしくは負圧が巧みに利用される。
【図１】
0006951474.tif 000002
【図２】
0006951474.tif 000003
【図３】
0006951474.tif 000004
【図４】
0006951474.tif 000005
【図５】
0006951474.tif 000006
【図６】
0006951474.tif 000007
【図７】
0006951474.tif 000008
【図８】
0006951474.tif 000009
【図９】
0006951474.tif 000010
【図１０】
0006951474.tif 000011
【図１１】
0006951474.tif 000012
【図１２】
0006951474.tif 000013
【図１３】
0006951474.tif 000014